(57)【要約】【課題】ユーザが電子ペーパーやホワイトボードなどにコンテンツの内容を順次書き込むことによって、アイデア構築を行うような場合に、効率的に検討プロセスの重要部分を探し出すことができる画像処理装置等を提供する。【解決手段】コンテンツの作成に際して、１個または複数個の端末装置Ａ、Ｂから、１人または複数のユーザの各端末装置からの書き込みが入力手段１１により受け付けられると共に、受け付けられた書き込みに基づいて、保存タイミングであるかどうかが判断される。保存タイミングであると判断された場合には、そのタイミングにおけるコンテンツが保存手段１５に保存される。そして、保存されている各タイミングでのコンテンツが出力手段１６、１７１で出力可能となる。【選択図】図１
2011141757.tif 000002
【特許請求の範囲】
【請求項１】
コンテンツの作成に際して、１個または複数個の端末装置からの１人または複数のユーザの情報の書き込みを受け付ける入力手段と、
前記入力手段により受け付けられた書き込みに基づいて、コンテンツの保存タイミングかどうかを判断する判断手段と、
前記判断手段によりコンテンツの保存タイミングであると判断された場合には、その都度コンテンツを保存する保存手段と、
前記保存手段に保存されているコンテンツを出力可能な出力手段と、
を備えたことを特徴とする画像処理装置。
【請求項２】
前記端末装置が複数個であり、いずれかの端末装置からのコンテンツの書き込みが前記入力手段により受け付けられたときは、受け付けられた書き込みを他の端末装置に反映させる制御手段を備えている請求項１に記載の画像処理装置。
【請求項３】
前記判断手段は、入力手段により受け付けられた書き込みの内容に基づいて、保存タイミングであるかどうかを判断する請求項１または２に記載の画像処理装置。
【請求項４】
前記判断手段は、入力手段により受け付けられた書き込みの時間に基づいて、保存タイミングであるかどうかを判断する請求項１または２に記載の画像処理装置。
【請求項５】
前記書き込みの内容が、囲み記号によるコンテンツの構成要素の囲み、消去記号によるコンテンツの構成要素の消去、強調記号によるコンテンツの構成要素の強調、終端記号によるコンテンツの終端の少なくともいずれかであるときに、前記判断手段は保存タイミングであると判断する請求項３に記載の画像処理装置。
【請求項６】
書き込みの終了から次の書き込みまでの時間が一定以上の場合に、前記判断手段は保存タイミングであると判断する請求項４に記載の画像処理装置。
【請求項７】
前記出力手段が、表示装置への表示出力送信手段であり、該表示出力送信手段は各保存タイミングで保存されたコンテンツを表示装置へ連続的に送信する際に、囲み記号によるコンテンツの構成要素の囲み、消去記号によるコンテンツの構成要素の消去、強調記号によるコンテンツの構成要素の強調、終端記号によるコンテンツの終端の少なくともいずれかの場合に保存されたコンテンツの前記表示装置による表示が長くなるように、送信タイミングを制御する請求項３または５に記載の画像処理装置。
【請求項８】
前記出力手段が、表示装置への表示出力送信手段であり、該表示出力送信手段は各保存タイミングで保存されたコンテンツを表示装置へ連続的に送信する際に、書き込みの終了から次の書き込みまでの時間が一定以上の場合に保存されたコンテンツの前記表示装置による表示が長くなるように、送信タイミングを制御する請求項４または６に記載の画像処理装置。
【請求項９】
前記保存手段に保存されるコンテンツをコンテンツ毎にＰＤＦファイルに変換するとともに、変換されたコンテンツ毎のファイルにしおりを作成するファイル変換手段を備え、
前記出力手段が表示手段であり、該表示手段は、しおりが選択された場合は、そのしおりページのコンテンツを表示する請求項１〜８のいずれかに記載の画像処理装置。
【請求項１０】
前記ファイル変換手段は、前記コンテンツの保存タイミングの基となったユーザを前記ＰＤＦのしおりに登録する請求項９に記載の画像処理装置。
【請求項１１】
前記端末装置は電子ペーパーまたはホワイトボードである請求項１〜１０のいずれかに記載の画像処理装置。
【請求項１２】
コンテンツの作成に際して、１個または複数個の端末装置からの１人または複数のユーザの情報の書き込みを受け付ける入力ステップと、
前記入力ステップにおいて受け付けられた書き込みに基づいて、保存タイミングであるかどうかを判断する判断ステップと、
前記判断ステップにおいて保存タイミングであると判断された場合には、その都度コンテンツを保存手段に保存するステップと、
記憶手段に各タイミングで保存されているコンテンツを出力する出力ステップと、
を備えたことを特徴とする画像処理装置におけるコンテンツ作成方法。
【請求項１３】
コンテンツの作成に際して、１個または複数個の端末装置からの１人または複数のユーザの情報の書き込みを受け付ける入力ステップと、
前記入力ステップにおいて受け付けられた書き込みに基づいて、保存タイミングであるかどうかを判断する判断ステップと、
前記判断ステップにおいて保存タイミングであると判断された場合には、その都度コンテンツを保存手段に保存するステップと、
保存手段に各タイミングで保存されているコンテンツを出力する出力ステップと、
を画像処理装置のコンピュータに実行させるためのコンテンツ作成プログラム。
【発明の詳細な説明】
【技術分野】
【０００１】
この発明は、多機能デジタル画像形成装置等の画像処理装置に関し、特に各端末装置からアクセスした複数のユーザの共同作業により、あるいは１台の端末装置から１人または複数のユーザの作業により、１つのコンテンツを作成することが可能な画像処理装置、同装置におけるコンテンツ作成方法及びコンテンツ作成プログラムに関する。
【背景技術】
【０００２】
例えば検討プロセスに従って、ユーザが電子ペーパーやホワイトボードなどにコンテンツの内容を順次書き込むことによって、アイデア構築を行うことが従来より行われている。
【０００３】
しかし、ユーザはコンテンツの最終形態を見ただけでは最終形態に至るまでの検討プロセスを把握することができない。
【０００４】
そこで、最終形態に至るまでの全てをビデオ撮影して、それを再生することにより、コンテンツの最終形態に至るまでの検討プロセスを把握することが行われている。
【０００５】
また、特許文献１には、会議の議事内容が出てきた経緯等を音声を含む動画情報として記録しておき、記録しておいた動画情報を検索し、再現できる電子会議システムが提案されている。
【先行技術文献】
【特許文献】
【０００６】
【特許文献１】特開平５−１６８９１号公報
【発明の概要】
【発明が解決しようとする課題】
【０００７】
しかし、最終形態に至るまでの全てをビデオ撮影して、それを再生することにより、コンテンツの最終形態に至るまでの検討プロセスを把握する方法では、全編動画を見続けなければならず、時間が無駄であり、効率的に検討プロセスの重要部分を探し出すことができない、という問題があった。
【０００８】
また、前述の特許文献１に記載された技術も、やはり音声を含む動画情報であり、効率的に検討プロセスの重要部分を探し出すことができない、という問題を払拭しうるものではなかった。
【０００９】
この発明は、上記実情に鑑みてなされたものであり、ユーザが電子ペーパーやホワイトボードなどにコンテンツの内容を順次書き込むことによって、アイデア構築を行うような場合に、効率的に検討プロセスの重要部分を探し出すことができる画像処理装置及び同装置におけるコンテンツ作成方法を提供し、さらには前記方法を画像処理装置のコンピュータに実行させるためのコンテンツ作成プログラムの提供を課題とする。
【課題を解決するための手段】
【００１０】
上記課題は、以下の手段によって解決される。
（１）コンテンツの作成に際して、１個または複数個の端末装置からの１人または複数のユーザの情報の書き込みを受け付ける入力手段と、前記入力手段により受け付けられた書き込みに基づいて、コンテンツの保存タイミングかどうかを判断する判断手段と、前記判断手段によりコンテンツの保存タイミングであると判断された場合には、その都度コンテンツを保存する保存手段と、前記保存手段に保存されているコンテンツを出力可能な出力手段と、を備えたことを特徴とする画像処理装置。
（２）前記端末装置が複数個であり、いずれかの端末装置からのコンテンツの書き込みが前記入力手段により受け付けられたときは、受け付けられた書き込みを他の端末装置に反映させる制御手段を備えている前項１に記載の画像処理装置。
（３）前記判断手段は、入力手段により受け付けられた書き込みの内容に基づいて、保存タイミングであるかどうかを判断する前項１または２に記載の画像処理装置。
（４）前記判断手段は、入力手段により受け付けられた書き込みの時間に基づいて、保存タイミングであるかどうかを判断する前項１または２に記載の画像処理装置。
（５）前記書き込みの内容が、囲み記号によるコンテンツの構成要素の囲み、消去記号によるコンテンツの構成要素の消去、強調記号によるコンテンツの構成要素の強調、終端記号によるコンテンツの終端の少なくともいずれかであるときに、前記判断手段は保存タイミングであると判断する前項３に記載の画像処理装置。
（６）書き込みの終了から次の書き込みまでの時間が一定以上の場合に、前記判断手段は保存タイミングであると判断する前項４に記載の画像処理装置。
（７）前記出力手段が、表示装置への表示出力送信手段であり、該表示出力送信手段は各保存タイミングで保存されたコンテンツを表示装置へ連続的に送信する際に、囲み記号によるコンテンツの構成要素の囲み、消去記号によるコンテンツの構成要素の消去、強調記号によるコンテンツの構成要素の強調、終端記号によるコンテンツの終端の少なくともいずれかの場合に保存されたコンテンツの前記表示装置による表示が長くなるように、送信タイミングを制御する前項３または５に記載の画像処理装置。
（８）前記出力手段が、表示装置への表示出力送信手段であり、該表示出力送信手段は各保存タイミングで保存されたコンテンツを表示装置へ連続的に送信する際に、書き込みの終了から次の書き込みまでの時間が一定以上の場合に保存されたコンテンツの前記表示装置による表示が長くなるように、送信タイミングを制御する前項４または６に記載の画像処理装置。
（９）前記保存手段に保存されるコンテンツをコンテンツ毎にＰＤＦファイルに変換するとともに、変換されたコンテンツ毎のファイルにしおりを作成するファイル変換手段を備え、前記出力手段が表示手段であり、該表示手段は、しおりが選択された場合は、そのしおりページのコンテンツを表示する前項１〜８のいずれかに記載の画像処理装置。
（１０）前記ファイル変換手段は、前記コンテンツの保存タイミングの基となったユーザを前記ＰＤＦのしおりに登録する前項９に記載の画像処理装置。
（１１）前記端末装置は電子ペーパーまたはホワイトボードである前項１〜１０のいずれかに記載の画像処理装置。
（１２）コンテンツの作成に際して、１個または複数個の端末装置からの１人または複数のユーザの情報の書き込みを受け付ける入力ステップと、前記入力ステップにおいて受け付けられた書き込みに基づいて、保存タイミングであるかどうかを判断する判断ステップと、前記判断ステップにおいて保存タイミングであると判断された場合には、その都度コンテンツを保存手段に保存するステップと、記憶手段に各タイミングで保存されているコンテンツを出力する出力ステップと、を備えたことを特徴とする画像処理装置におけるコンテンツ作成方法。
（１３）コンテンツの作成に際して、１個または複数個の端末装置からの１人または複数のユーザの情報の書き込みを受け付ける入力ステップと、前記入力ステップにおいて受け付けられた書き込みに基づいて、保存タイミングであるかどうかを判断する判断ステップと、前記判断ステップにおいて保存タイミングであると判断された場合には、その都度コンテンツを保存手段に保存するステップと、保存手段に各タイミングで保存されているコンテンツを出力する出力ステップと、を画像処理装置のコンピュータに実行させるためのコンテンツ作成プログラム。
【発明の効果】
【００１１】
前項（１）に記載の発明によれば、コンテンツの作成に際して、１個または複数個の端末装置から、１人または複数のユーザの各端末装置からの書き込みが入力手段により受け付けられると共に、受け付けられた書き込みに基づいて、保存タイミングであるかどうかが判断される。保存タイミングであると判断された場合には、そのタイミングにおけるコンテンツが保存手段に保存される。そして、保存されている各タイミングでのコンテンツが出力可能となる。つまり、重要な書き込みがなされたときに記憶保存ミングであると判断され、そのときのコンテンツを保存させ、出力することが可能となるから、コンテンツの完成後に効率的に検討プロセスの重要部分を探し出すことができる。
【００１２】
前項（２）に記載の発明によれば、端末装置が複数個であり、いずれかの端末装置からのコンテンツの書き込みが前記入力手段により受け付けられたときは、受け付けられた書き込みが他の端末装置に反映されるから、各ユーザはそれぞれの端末装置を使用して効率よくコンテンツの作成作業を行うことができる。
【００１３】
前項（３）に記載の発明によれば、入力手段により受け付けられた書き込みの内容に基づいて、保存タイミングであるかどうかが判断される。
【００１４】
前項（４）に記載の発明によれば、入力手段により受け付けられた書き込みの時間に基づいて、保存タイミングであるかどうかが判断される。
【００１５】
前項（５）に記載の発明によれば、書き込みの内容が、囲み記号によるコンテンツの囲み、消去記号によるコンテンツの消去、強調記号によるコンテンツの強調、終端記号によるコンテンツの終端の少なくともいずれかであるときに、重要なポイントであるとして保存タイミングであると判断される。
【００１６】
前項（６）に記載の発明によれば、書き込みの終了から次の書き込みまでの時間が一定以上の場合に、重要なポイントであるとして保存タイミングであると判断される。
【００１７】
前項（７）に記載の発明によれば、各タイミングでのコンテンツを表示装置へ連続的に送信する際に、囲み記号によるコンテンツの囲み、削除記号によるコンテンツの消去、強調記号によるコンテンツの強調、終端記号によるコンテンツの終端の少なくともいずれかの場合に記憶されたコンテンツの前記表示装置による表示が長く設定されるから、ユーザは検討プロセスにおける重要な箇所をじっくりと内容確認することができる。
【００１８】
前項（８）に記載の発明によれば、各保存タイミングで保存されたコンテンツを表示装置へ連続的に送信する際に、書き込みの終了から次の書き込みまでの時間が一定以上の場合に保存されたコンテンツの前記表示装置による表示が長く設定されるから、ユーザは検討プロセスにおける重要な箇所をじっくりと内容確認することができる。
【００１９】
前項（９）に記載の発明によれば、保存したコンテンツをしおり付のＰＤＦファイルとして利用することができる。
【００２０】
前項（１０）に記載の発明によれば、コンテンツの構成要素の消去等を行ったユーザを認識しながら、前記ＰＤＦファイルを利用することができる。
【００２１】
前項（１１）に記載の発明によれば、ユーザは電子ペーパーまたはホワイトボードを用いて、コンテンツの内容を順次書き込むことができる。
【００２２】
前項（１２）に記載の発明によれば、重要な書き込みがなされたときに保存タイミングであると判断され、そのときのコンテンツを保存させ、出力することが可能となるから、コンテンツの完成後に効率的に検討プロセスの重要部分を探し出すことができる。
【００２３】
前項（１３）に記載の発明によれば、コンテンツの作成に際して、１個または複数個の端末装置から、１人または複数のユーザの各端末装置からの書き込みを入力手段により受け付け、受け付けた書き込みに基づいて、保存タイミングであるかどうかを判断し、保存タイミングであると判断した場合には、そのタイミングにおけるコンテンツを保存手段に保存し、保存されている各タイミングでのコンテンツを出力する処理を、画像処理装置のコンピュータに実行させることができる。
【図面の簡単な説明】
【００２４】
【図１】この発明の一実施形態に係る画像処理装置が用いられている画像処理システムの構成図である。
【図２】画像処理装置の電気的な構成を示すブロック図である。
【図３】（Ａ）はフローチャートであるコンテンツの完成までのプロセスが記載された図であり、（Ｂ）はコンテンツの完成図である。
【図４】各タイミングで保存されたコンテンツを示す図である。
【図５】各タイミングで保存されたコンテンツのうちのいずれかのコンテンツを用いて新たなコンテンツを作成する場合の説明図である。
【図６】画像処理装置の動作を示すフローチャートである。
【図７】別のコンテンツの作成途中の状態を示す図である。
【図８】図７のコンテンツの完成状態を示す図である。
【発明を実施するための形態】
【００２５】
次に、この発明の一実施形態を図面に基づいて説明する。
【００２６】
図１は、この発明の一実施形態に係る画像処理装置が用いられている画像処理システムの構成図である。
【００２７】
この画像処理システムは、画像処理装置１と該画像処理装置１に直接にまたはネットワークを介して接続されている異なるユーザの端末装置２、３とを備えている。
【００２８】
前記画像処理装置１として、この実施形態では、コピー機能、プリンタ機能、ファクシミリ機能、スキャン機能等の機能を有する多機能デジタル画像形成装置であるＭＦＰ（Multi Function Peripherals）が用いられている。また、端末装置２、３としてこの実施形態では手書き入力可能な電子ペーパーやホワイトボードが用いられている。
【００２９】
図２は、画像処理装置１の電気的な構成を示すブロック図である。
【００３０】
この画像処理装置１はＣＰＵ１１と、ＲＯＭ１２と、ＲＡＭ１３と、スキャナ部１４と、記憶部１５と、プリンタ部１６と、操作パネル１７と、ネットワークコントローラ（Ｎ１Ｃ）１８等を備えている。
【００３１】
前記ＣＰＵ１１は、画像処理装置１の全体を統括制御するが、この実施形態では特に、手書き入力可能な電子ペーパー、ホワイトボード等の端末装置２、３からユーザにより書き込まれたコンテンツの内容を受け付ける入力機能や、受け付けられた書き込みに基づいて、記憶タイミングであるかどうかを判断する判断機能や、保存タイミングであると判断された場合には、そのタイミングにおけるコンテンツを記憶部１５に保存させる機能等を有する。
【００３２】
前記ＲＯＭ１２は、ＣＰＵ１１の動作プログラム等を格納するメモリである。
【００３３】
前記ＲＡＭ１３は、ＣＰＵ１１が動作プログラムに基づいて動作する際の作業領域を提供するメモリである。
【００３４】
前記スキャナ部１４は、原稿台（図示せず）に置かれた原稿の画像を読み取り、画像データに変換する読み取り手段である。
【００３５】
前記記憶部１５は、例えばハードディスクドライブ（ＨＤＤ）などの不揮発性の記憶デバイスにより構成されている。この記憶部１５には、前記端末装置２、３から書き込まれたコンテンツの所定のタイミングにおける内容が保存されると共に、スキャナ部１４で読み取られた原稿の画像データからなるファイル、ファクシミリ受信ファイル等、各種のファイルが保存されている。
【００３６】
前記プリンタ部１６は、前記記憶部１５に記憶されているコンテンツの内容や、前記スキャナ部１４で読み取られた原稿の画像データやパーソナルコンピュータ等から送信されたプリントデータ等を、指示されたモードに従って印刷するものである。
【００３７】
前記操作パネル１７は、各種入力操作等のために使用されるものであり、液晶等からなる表示部１７１と、テンキー、スタートキー、ストップキー等のハードキーを有するキー入力部１７２とを備えている。
【００３８】
前記ネットワークコントローラ１８は、ネットワーク接続された前記電子ペーパーやホワイトボード等の端末装置２、３、パーソナルコンピュータ、他の画像形成装置その他の外部機器との間での通信を制御するものである。
【００３９】
図１に示した画像形成システムの動作の概要を、図１を参考にして説明する。
【００４０】
まず、ユーザＡが端末装置２から画像処理装置１へログインし（図１の丸数字１）、ドキュメントの取得を要求し（丸数字２）、情報共有できるユーザを指定するための情報共有制限を送信すると（丸数字３）、画像処理装置１は前記情報共有制限を登録する（丸数字４）。
【００４１】
次に、ユーザＢが端末装置３から画像処理装置１へログインし（丸数字５）、ドキュメントの取得を要求する（丸数字６）。ユーザ端末Ｂからのドキュメント取得要求に対し、画像処理装置１は前記登録した情報共有制限を参照し（丸数字７）、ユーザＢがドキュメントを共有可能なユーザかどうかを判断する。共有可能であれば、ドキュメント情報をユーザＡの端末装置２に転送し（丸数字８）、さらにユーザＢの端末装置３に転送する（丸数字９）。これにより、端末装置２、３に同一のドキュメント情報が転送されて、端末装置２、３には該ドキュメント情報からなるコンテンツが表示される。
【００４２】
ユーザＡがコンテンツについて端末装置２に情報を書き込むと（丸数字１０）、画像処理装置１はこの書き込みを受け付けて、元のコンテンツに情報を追記する（丸数字１１）。具体的には、書き込みを行ったユーザと書き込みの順番を示す記述順番情報、タイムスタンプ、書き込まれたテキスト等の追記情報を記憶・登録する。そして、ユーザＢの端末装置３にユーザＡによって書き込まれたコンテンツの追加・修正情報を転送する（丸数１２）。
【００４３】
次に、例えばユーザＢが書き込みを行うと（丸数字１３）、画像処理装置１はこの書き込みを受け付けて、記述順番情報、タイムスタンプ、テキスト等の追記情報を記憶・登録したのち（丸数字１４）、ユーザＡの端末装置２にユーザＢによって書き込まれたコンテンツの追加・修正情報を転送する（丸数字１５）。
【００４４】
このようにして、一方のユーザによって書き込まれた情報が他方のユーザの端末装置にリアルタイムで反映されるとともに、必要に応じて内容の追加・修正を順次行いながら、コンテンツを完成させていく。画像処理装置１は、完成に至るまでの間、各ユーザからの情報の書き込みを受け付けながら、書き込まれた内容を逐次登録していく。
【００４５】
次に、コンテンツの具体的な作成プロセスを例示する。
【００４６】
図３（Ａ）は、フローチャートであるコンテンツの完成までのプロセスが記載された図であり、図３（Ｂ）はコンテンツの完成図である。
【００４７】
図３（Ａ）において、「Ａ」の文字が記載された記号はユーザＡが書き込んだコンテンツの構成要素であり、「Ｂ」の文字が記載された記号はユーザＢが書き込んだ構成要素であり、「Ａ」または「Ｂ」の後に添えられた数字は書き込んだ順番を示すものである。なお、各ユーザが書き込んだ構成要素を一目で認識できるように、書き込んだ構成要素の色をユーザ毎に変えるのが望ましい。
【００４８】
図３に示されたプロセスは次のとおりである。即ち、まずユーザＡによって「Ａ１」で示す構成要素が書き込まれた後、ユーザＢによって「Ｂ１」で示す構成要素が書き込まれ、さらにその後、ユーザＡによって「Ａ２」で示す構成要素が書き込まれ、続いてユーザＢによって「Ｂ２」で示す構成要素が書き込まれている。次に、ユーザＡによって「Ａ３」で示す構成要素が書き込まれるが、ユーザＢによって「Ａ３」で示す構成要素が消去記号である「×」印で消去され、その代わりに「Ｂ３」で示す構成要素が、続いて「Ｂ４」で示す構成要素が書き込まれる。
【００４９】
その後、ユーザＡによって「Ｂ３」で示す構成要素が「×」印で消去され、その代わりに「Ａ４」で示す構成要素が、続いて「Ａ５」で示す構成要素が書き込まれ、図３（Ｂ）に示す完成されたコンテンツに至っている。
【００５０】
図３（Ａ）に示したプロセスを経てコンテンツが完成されても、図３（Ｂ）に示す完成状態を見ただけでは、図３に示したプロセスを把握することはできない。
【００５１】
そこで、この実施形態では、消去記号である「×」印が付された場合、画像処理装置１のＣＰＵ１１はコンテンツの保存タイミングであると判断して、図４（Ａ）及び（Ｂ）に示すように、「×」印により消去される前の状態でコンテンツを記憶部１５に保存する。
【００５２】
さらに、最後の書き込みから次の書き込みまでの時間が一定以上の場合にも、画像処理装置１のＣＰＵ１１はコンテンツの保存タイミングであると判断して、最後の書き込みが行われた状態のコンテンツを記憶部１５に保存する。例えば、図３において、ユーザＡによって「Ａ５」で示す記号が書き込まれたあと、一定時間経過すると、図４（Ｃ）に示す状態のコンテンツが記憶される。なお、一定時間は管理者ユーザ等が予め設定しておけばよい。
【００５３】
各保存タイミングで記憶部１５に保存されたコンテンツは、同じく図４（Ａ）〜（Ｃ）に示すように、それぞれプリンタ部１６によりプリントされ、あるいは表示部１７１や端末装置２、３に表示可能となされている。
【００５４】
このように、書き込みの内容あるいは書き込みの時間に基づいて、画像処理装置１はコンテンツの保存タイミングであるかどうかを判断し、保存タイミングであればコンテンツを保存し、ユーザは保存されている各タイミングでのコンテンツをプリントしたり表示させることができる。つまり、重要な書き込みがなされたときに保存タイミングであると判断され、そのときのコンテンツを保存させ、出力することが可能となるから、コンテンツの完成後に効率的に検討プロセスの重要部分を探し出すことができる。
【００５５】
なお、上記の例では、消去記号である「×」印が構成要素に付された場合、画像処理装置１のＣＰＵ１１はコンテンツの保存タイミングであると判断して、「×」印が付される前の状態でコンテンツが保存されるものとしたが、保存タイミングであることの判断は、消去記号である「×」印が付された場合に限定されない。例えば、○や□等の囲み記号でコンテンツの全部あるいは一部の構成要素が囲まれた場合や、二重線等で構成要素が打ち消された場合や、図３の「Ｂ３」「Ａ４」で示されているように、構成要素が太字やアンダーライン等で強調された場合や、終端記号によりコンテンツの終端であることが示された場合の少なくともいずれかの場合に、保存タイミングであると判断して、コンテンツを保存するように構成されても良い。また、囲み記号で囲まれた場合、「×」印や二重線等の消去記号が付された場合に、囲み記号で囲まれる前や消去記号が付される前の状態で、コンテンツを保存しても良いし、囲み記号で囲まれた状態あるいは消去記号が付された状態で、コンテンツを保存しても良い。なお、ユーザの画像処理装置１に対する操作により、任意のタイミングでコンテンツを保存できるのは勿論である。
【００５６】
また、各保存タイミングで保存された複数個のコンテンツは、例えばマイクロソフト社のパワーポイント等のプレゼンテーションソフトウェアを用いて、プロジェクタ等の外部表示装置へ連続的に出力することができる。この場合、囲み記号によるコンテンツの囲み、消去記号によるコンテンツの消去、強調記号によるコンテンツの強調、終端記号によるコンテンツの終端の少なくともいずれかの場合に保存されたコンテンツの内容、あるいは書き込みの終了から次の書き込みまでの時間が一定以上の場合に保存されたコンテンツの内容の前記外部表示装置による表示時間が長くなるように、画像処理装置１は各コンテンツの送信タイミングを制御する構成としても良い。これにより、前記外部表示装置によって、スクリーン等に表示されるコンテンツの表示時間を長くでき、ユーザは検討プロセスにおける重要な箇所をじっくりと内容確認することができる。
【００５７】
さらに、画像処理装置１は、各保存タイミングで記憶部１５に記憶されるコンテンツを、コンテンツ毎にＰＤＦファイルに変換し、これらの変換されたコンテンツ毎のファイルにしおりを作成する構成としても良い。この場合、操作パネル部１７の表示部１７１にＰＤＦファイルのしおりが表示され、いずれかのしおりが選択された場合は、そのしおりページのコンテンツが表示される構成としても良い。
【００５８】
また、保存タイミングの基となったユーザ、換言すれば囲み記号によるコンテンツの構成要素の囲み、消去記号によるコンテンツの構成要素の消去、強調記号によるコンテンツの構成要素の強調、終端記号によるコンテンツの終端を行ったユーザを、前記ＰＤＦのしおりに登録することで、コンテンツの構成要素の消去等を行ったユーザを認識しながら、ＰＤＦファイルを利用することができる。
【００５９】
また、図５（Ａ）に示すように各保存タイミングで保存されたコンテンツの一部を用いて、図５（Ｂ）のように新たなコンテンツを編集することも可能となされている。この場合も、編集工程で、囲み記号によるコンテンツの囲み、消去記号によるコンテンツの消去、強調記号によるコンテンツの強調、終端記号によるコンテンツの終端の少なくともいずれかがあった場合、あるいは書き込みの終了から次の書き込みまでの時間が一定以上の場合に、同様にして各コンテンツが保存されるのは勿論である。
【００６０】
図６は、コンテンツ作成時の画像処理装置１の動作を示すフローチャートである。この動作は、画像処理装置１のＣＰＵ１１がＲＯＭ１２等の記録媒体に記録された動作プログラムに従って動作することにより実行される。
【００６１】
ステップＳ０１では、新たな書き込みがなされたかどうかを判断し、新たな書き込みがなければ（ステップＳ０１でＮＯ）、書き込みがあるまで待つ。書き込みがなされると（ステップＳ０１でＹＥＳ）、ステップＳ０２で、その書き込みが終了したかどうかを判断し、終了でなければ（ステップＳ０２でＮＯ）、終了するのを待つ。終了すると（ステップＳ０２でＹＥＳ）、ステップＳ０３で終了時刻を記録したのち、ステップＳ０４で、書き込みの内容に基づいてコンテンツの保存タイミングであるかどうかを判断する。つまり、囲み記号によるコンテンツの構成要素の囲み、消去記号によるコンテンツの構成要素の消去、強調記号によるコンテンツの構成要素の強調、終端記号によるコンテンツの終端等の書き込みがなされているかどうかを調べて、保存タイミングであるかどうかを判断する。
【００６２】
保存タイミングであれば（ステップＳ０４でＹＥＳ）、ステップＳ０５で、コンテンツを記憶部１５に保存したのち、消去記号によるコンテンツの構成要素の消去等が書き込まれていれば書き込み内容を実行したのち、ステップＳ０６に進む。保存タイミングでなければ（ステップＳ０４でＮＯ）、コンテンツの保存を行うことなく、構成要素の消去等を実行したのち、ステップＳ０６に進む。
【００６３】
ステップＳ０６では、次の書き込みが行われたかどうかを判断する。次の書き込みが行われると（ステップＳ０６でＹＥＳ）、ステップＳ０７で、その書き込みの開始時刻を記録したのち、ステップＳ０８で、ステップＳ０３で記録した前の書き込みの終了時刻とステップＳ０７で記録した次の書き込みの開始時刻とに基づいて、前の書き込みから次の書き込みまで一定時間が経過しているかどうかを判断する。
【００６４】
一定時間が経過していれば（ステップＳ０８でＹＥＳ）、ステップＳ０９でコンテンツを記憶部１５に保存した後、ステップＳ１０に進む。一定時間が経過していなければ（ステップＳ０８でＮＯ）、そのままステップＳ１０に進む。
【００６５】
ステップＳ１０では、次のコンテンツの書き込みが終了したかどうかを調べ、終了していなければ（ステップＳ１０でＮＯ）、終了を待ち、終了すると（ステップＳ１０でＹＥＳ）、ステップＳ１１で、終了時刻を記録する。
【００６６】
次いで、ステップＳ１２で、囲み記号によるコンテンツの構成要素の囲み、消去記号によるコンテンツの構成要素の消去、強調記号によるコンテンツの構成要素の強調、終端記号によるコンテンツの終端等の書き込みがなされているかどうかを調べ、保存タイミングであるかどうかを判断する。保存タイミングでなければ（ステップＳ１２でＮＯ）、ステップＳ０６に戻る。保存タイミングであれば（ステップＳ１２でＹＥＳ）、ステップＳ１３でコンテンツを保存した後、ステップＳ０６に戻る。
【００６７】
ステップＳ０６で、ユーザの指示等により、次の書き込みがなくコンテンツの作成終了であれば（ステップＳ０６でＮＯ）、処理を終了する。
【００６８】
図７は、コンテンツ作成の別の具体例を示すものである。この例では、コンテンツ作成プロセスにおいて、図７に示すように、消去記号「×」印等が書き込まれて、構成要素の一部が削除されあるいは修正されることにより、図８に示すコンテンツの完成に到っている。この場合も、図示は省略したが、消去記号「×」印等が書き込まれる都度、それまでに作成された完成途中のコンテンツが、記憶部１５に保存されることになる。
【００６９】
なお、以上の実施形態では、異なるユーザの端末装置Ａ、Ｂから、画像処理装置１に情報を書き込むものとしたが、１台の端末装置から１人または複数のユーザにより書き込まれる構成であっても良い。
【符号の説明】
【００７０】
１      画像処理装置
１１    ＣＰＵ
１２    ＲＯＭ
１４    スキャナ部
１５    記憶部
１６    プリンタ部
１７    操作パネル
【図１】
2011141757.tif 000003
【図２】
2011141757.tif 000004
【図３】
2011141757.tif 000005
【図４】
2011141757.tif 000006
【図５】
2011141757.tif 000007
【図６】
2011141757.tif 000008
【図７】
2011141757.tif 000009
【図８】
2011141757.tif 000010